(57)【要約】【課題】  デジタル放送を受信するときに放送チャンネル選択のための要求時間を短縮することができるデジタル放送受信装置及び方法を提供する。【解決手段】  デジタル放送受信装置は、マルチチャンネル伝送ストリームを複数の放送チャンネルデータに分離して出力する伝送ストリームデマルチプレクサと、データビットレートに対応してそれぞれ異なる容量に設定された複数のバッファを含み、放送チャンネルデータをデータビットレートによりそれぞれ対応する容量のバッファに貯蔵するバッファ部と、ユーザーによって選択された放送チャンネルに対応するチャンネル識別情報を出力するユーザーインターフェースと、チャンネル識別情報により、前記複数のバッファのうちの一つを選択するマルチバッファスイッチング装置と、を含むことを特徴とする。【選択図】  図３
2006081185.tif 000002
【特許請求の範囲】
【請求項１】
デジタル放送受信装置であって、
マルチチャンネル伝送ストリームを複数の放送チャンネルデータに分離して出力するデマルチプレクサと、
データビットレートに対応してそれぞれ異なる容量に設定された複数のバッファを含み、前記放送チャンネルデータをデータビットレートによりそれぞれ対応する容量のバッファに貯蔵するバッファ部と、
ユーザーによって選択された放送チャンネルに対応するチャンネル識別情報を出力するユーザーインターフェースと、
前記チャンネル識別情報により、前記複数のバッファのうちの一つを選択するスイッチング装置と、
を含むことを特徴とするデジタル放送受信装置。
【請求項２】
前記放送チャンネルデータ及び伝送チャンネルの対応情報を有するデータベースをさらに含むことを特徴とする請求項１記載のデジタル放送受信装置。
【請求項３】
前記マルチチャンネル伝送ストリームのＰＩＤ(Ｐａｃｋｅｔ  ＩＤ)値及びその関連情報を前記データベースから検出して前記デマルチプレクサ及びスイッチング装置に提供するＰＩＤ検出部をさらに含むことを特徴とする請求項２記載のデジタル放送受信装置。
【請求項４】
前記複数のバッファは、それぞれリングバッファであることを特徴とする請求項１記載のデジタル放送受信装置。
【請求項５】
前記伝送ストリームデマルチプレクサは、前記ＰＩＤ検出部から提供されるＰＩＤ値及びその関連情報を参照して各放送チャンネルデータをそのチャンネル容量により前記各リングバッファに割り当てることを特徴とする請求項３記載のデジタル放送受信装置。
【請求項６】
前記ＰＩＤの関連情報は、各放送チャンネルのビットレート情報を含むことを特徴とする請求項２記載のデジタル放送受信装置。
【請求項７】
デジタル放送受信方法であって、
マルチチャンネル伝送ストリームを複数の放送チャンネルデータに分離して出力する段階と、
前記複数の放送チャンネルデータを複数のバッファを通じてそれぞれバッファリングする段階と、
ユーザーによって選択された放送チャンネルに対応するＰＩＤ情報により、前記複数のバッファのうちの一つの出力を選択する段階と、
を含むことを特徴とするデジタル放送受信方法。
【請求項８】
前記バッファリングする段階は、前記各放送チャンネルデータのビットレートに対応する異なる容量を有する複数のバッファに各放送チャンネルデータを割り当てることによって、各放送チャンネルデータをバッファリングすることを特徴とする請求項７記載のデジタル放送受信方法。
【発明の詳細な説明】
【技術分野】
【０００１】
本発明は、デジタル放送受信装置及びその方法に関するものである。
【背景技術】
【０００２】
デジタル放送技術及び移動通信技術の発達により、移動中のユーザーにデジタル放送を提供することに関する関心が高くなっている。デジタルマルチメディア放送(Ｄｉｇｉｔａｌ  Ｍｕｌｔｉｍｅｄｉａ  Ｂｒｏａｄｃａｓｔｉｎｇ：以下、“ＤＭＢ”とする)は、個人携帯用受信器又は車両用受信器を通じてユーザーが移動途中でも多様なマルチメディア放送を多チャンネルで視聴できるようにする放送サービスを意味する。特に、韓国で採択された衛星ＤＭＢは、国際電気通信連合(Ｉｎｔｅｒｎａｔｉｏｎａｌ  Ｔｅｌｅｃｏｍｍｕｎｉｃａｔｉｏｎ  Ｕｎｉｏｎ：ＩＴＵ)の標準Ｒｅｃ.ＢＯ.１１３０-４：Ｓｙｓｔｅｍ-Ｅとして、ＣＤＭＡ方式の移動電話に類似したＣＤＭ(Ｃｏｄｅ  Ｄｉｖｉｓｉｏｎ  Ｍｕｌｔｉｐｌｅｘｉｎｇ)技術を選択する。
【０００３】
既存のデジタル放送受信装置で、バッファは、ユーザーにスピーカやディスプレー部を通じて該当放送番組を提供する前に、使用者によって選択された放送番組データで満たされる。特に、ユーザーが放送チャンネルを選択するのにかかる時間は、放送チャンネル選択のためのユーザーのキー入力に対する応答時間とバッファリング時間との和となる。したがって、デジタル放送で放送チャンネル選択にかかる時間は、バッファのサイズに関連する。
【０００４】
このようなＤＭＢシステムにおいては、ビットレートが異なる複数の放送チャンネルが一つの伝送チャンネルに割り当てられる。例えば、オーディオ放送の場合に、ある伝送チャンネルには６４Ｋｂｐｓ，４８Ｋｂｐｓ，４０Ｋｂｐｓ、及び３２Ｋｂｐｓの４個の放送チャンネルが割り当てられ、他の伝送チャンネルには４８Ｋｂｐｓ，４０Ｋｂｐｓ，３２Ｋｂｐｓ、及び３２Ｋｂｐｓの４個の放送チャンネルが割り当てられる。最小ビットレートを有する放送チャンネルにおけるそのビットレートは、２４Ｋｂｐｓである。
【０００５】
したがって、デジタル放送受信装置は、一番大きなビットレートを有する放送チャンネルに対応するバッファを備えなければならない。例えば、６４Ｋｂｐｓの放送チャンネルデータを２秒間バッファリングするサイズのバッファは、２４Ｋｂｐｓ放送チャンネルデータをバッファリングするのに５.３３秒のバッファリング時間が求められる。６４Ｋｂｐｓ放送チャンネルデータでこのバッファの半分を満たすのにかかる時間が１秒であると、２４Ｋｂｐｓ放送チャンネルデータでこのバッファの半分を満たすのに要求される時間は２.６７秒である。
【０００６】
このように、デジタル放送受信装置では、この選択された放送チャンネルにより、このバッファを満たすのにかかる時間が相互に異なり、これは、待機時間(放送チャンネルが選択された後、放送チャンネルデータを出力するまでの時間)が選択された放送チャンネルにより異なるようになる。デジタル放送受信装置で、最大ビットレートのオーディオ放送チャンネルをバッファリングするためのバッファが最小ビットレートのために使用される場合に、これは放送チャンネル選択のための待機時間を増加させる。
【発明の開示】
【発明が解決しようとする課題】
【０００７】
したがって、上記のような従来技術の問題点を解決するために、本発明の目的は、デジタル放送を受信するときに放送チャンネル選択のための要求時間を短縮することができるデジタル放送受信装置及び方法を提供することにある。
【０００８】
また、本発明の目的は、デジタル放送において高速で放送チャンネルを選択することができるデジタル放送受信装置及び方法を提供することにある。
【課題を解決するための手段】
【０００９】
上記の目的を達成するために、本発明によるデジタル放送受信装置は、マルチチャンネル伝送ストリームを複数の放送チャンネルデータに分離して出力するデマルチプレクサと、データビットレートに対応してそれぞれ異なる容量に設定された複数のバッファを含み、前記放送チャンネルデータをデータビットレートによりそれぞれ対応する容量のバッファに貯蔵するバッファ部と、ユーザーによって選択された放送チャンネルに対応するチャンネル識別情報を出力するユーザーインターフェースと、前記チャンネル識別情報により、前記複数のバッファのうちの一つを選択するスイッチング装置と、を含むことを特徴とする。
【発明の効果】
【００１０】
本発明は、バッファを満たす時間を除去することによって、放送チャンネルを選択するときに求められる待機時間を大幅に短縮させることができる。また、本発明は、バッファサイズが大きくなっても放送チャンネルの選択時の待機時間に影響を及ぼすことがないため、受信装置の安定性を高めることができる効果がある。
【発明を実施するための最良の形態】
【００１１】
以下、本発明の望ましい実施形態を添付の図面を参照して詳細に説明する。本発明において、関連した公知機能及び構成に関する説明が、本発明の要旨を不明にする可能性がある場合には、その詳細な説明を省略する。
【００１２】
図１は、本発明の望ましい実施形態によるデジタル放送受信装置のブロック構成図である。本発明の明細書では、デジタルマルチメディア放送のうちのデジタルオーディオ放送を受信する場合を仮定して説明する。図１を参照すると、本発明の望ましい実施形態によるデジタル放送受信装置１００は、一つ以上の所定ＣＤＭチャンネルＣＤＭ０〜ＣＤＭＮを通じて受信されたＣＤＭチャンネルデータをデインタリーブして出力するＣＤＭ(Ｃｏｄｅ  Ｄｉｖｉｓｉｏｎ  Ｍｕｌｔｉｐｌｅｘｉｎｇ)チャンネル処理部１１０と、ＣＤＭチャンネルデータをマージして伝送ストリームを生成するマージ部(ｍｅｒｇｅ  ｕｎｉｔ)１２０と、マージ部１２０からの伝送ストリームをＭＰＥＧデコーディングして所定の放送チャンネルデータを出力するＭＰＥＧデコーダ１３０と、ＭＰＥＧデコーダ１３０から提供される放送チャンネルデータであるデジタル信号を音声信号及び映像信号に変換するコーデック１４０と、を含む。
【００１３】
ＣＤＭチャンネル処理部１１０は、おおよそ５個のＣＤＭチャンネルを受信して処理するように構成される。基本的に、ＣＤＭチャンネル処理部１１０は、パイロット情報を伝送するチャンネルと、ＥＰＧ(Ｅｌｅｃｔｒｏｎｉｃ  Ｐｒｏｇｒａｍ  Ｇｕｉｄｅ)情報を伝送するチャンネルと、ＣＡＳ(Ｃｏｎｄｉｔｉｏｎａｌ  Ａｃｃｅｓｓ  Ｓｙｓｔｅｍ)情報を伝送するチャンネルと、を受信する。そして、ＣＤＭチャンネル処理部１１０は、実際に放送チャンネルデータを伝送するための少なくとも一つ以上のＣＤＭ伝送チャンネルを受信することができる。
【００１４】
このとき、デジタル放送受信装置によってデコーディング可能なＣＤＭチャンネルの個数は、一般的にＤＭＢシステムから提供される全体ＣＤＭチャンネルの個数より少ない。例えば、ＡＲＩＢ規格である[ＡＲＩＢ  ＳＴＤ  Ｂ４１]の衛星ＤＭＢの送受信規格により、ＤＭＢシステムは、３０個のチャンネルを用いてそのうちの２９個のチャンネルを通じてデータを伝送し、１個のチャンネルを通じて制御信号を伝送するように構成される。５１２Ｋｂｐｓデータは、データを伝送する２９個のチャンネルを通じて伝送される。ところで、５１２Ｋｂｐｓデータは、１/２折り畳み符号化によって２５６Ｋｂｐｓデータとなり、Ｒ-Ｓ符号化によって約２３６(＝１８８/２０４)Ｋｂｐｓデータとなり、約２３６Ｋｂｐｓの有効データは各チャンネルを通じて伝送可能になる。したがって、総２９個のチャンネルであるため、衛星ＤＭＢシステムは、全体約６.８４４Ｍｂｐｓのデータを伝送することができる。将来、デジタル放送受信装置は、５個以上のＣＤＭ伝送チャンネルを処理するように構成され、このデジタル放送受信装置に本発明が適用可能であることは明らかである。
【００１５】
一方、ＤＭＢシステムは、１個のＣＤＭ伝送チャンネルの代わりに１個のＡＶ放送チャンネルデータを２個のＣＤＭ伝送チャンネルを通じて伝送することができる。オーディオ放送チャンネルの場合に、１個の伝送チャンネルを通じて多数のオーディオ放送チャンネルデータをサービスすることもできる。オーディオ放送チャンネルデータの容量は約４８Ｋｂｐｓであるため、一つの伝送チャンネル(ＣＤＭ チャンネル)は、５(＝２３６/４８)個のオーディオ放送チャンネルデータが伝達される。伝送チャンネルには、多重化装備を通じて数個の放送チャンネルデータが混合されて伝達される。
【００１６】
ＣＤＭチャンネル処理部１１０は、放送チャンネルデータストリームを伝送するための１個以上のＣＤＭ伝送チャンネルを受信することができる。ＣＤＭチャンネル処理部１１０から出力されるデインタリーブされたＣＤＭチャンネルデータは、マージ部１２０に出力される。マージ部１２０は、ＣＤＭチャンネルデータをマージして伝送ストリームを生成する。上述したように、放送チャンネルデータは、多様な伝送チャンネルに多重化されるため、マージ部１２０は受信されるＣＤＭチャンネルから伝送ストリームを生成した後に、ＭＰＥＧデコーダ１３０に提供する。伝送ストリームは、一つ以上の放送チャンネルデータを含む。マージ部１２０は、多様な伝送チャンネルを通じて伝送された放送チャンネルデータをマージし、多様な放送チャンネルデータが含まれた伝送ストリームを生成する。
【００１７】
ＭＰＥＧデコーダ１３０は、マージ部１２０から出力される伝送ストリームからユーザーの選択により、放送チャンネルデータを取り出して出力する。ユーザーが希望する放送チャンネルを選択すると、この選択された放送チャンネルに対応するＰＩＤ(Ｐａｃｋｅｔ  ＩＤ)がＭＰＥＧデコーダ１３０に提供される。ＭＰＥＧデコーダ１３０は、ユーザーにより選択されたＰＩＤに従って、伝送ストリームのうち希望する放送チャンネルデータを出力する。コーデック１４０は、ＭＰＥＧデコーダ１３０から提供される放送チャンネルデータであるデジタル信号を音声信号又は映像信号に変換する。以下、本発明の実施形態によるデジタル放送受信装置１００で、高速チャンネル選択のためのＭＰＥＧデコーダ１３０の構造を説明する。
【００１８】
図２は、本発明の一実施形態によるＭＰＥＧデコーダのブロック構成図である。図２を参照すると、ＭＰＥＧデコーダ１３０は、伝送ストリームデマルチプレクサ２１０と、バッファ部２２０と、マルチバッファスイッチング部２３０と、データベース２４０と、ＰＩＤ検出部２６０と、を含む。デジタル放送の受信時に伝送ストリームデマルチプレクサ２１０には複数の放送チャンネルがマルチプレクシングされた伝送ストリームが用いられる。
【００１９】
上述したように、衛星ＤＭＢの場合又は伝送ストリームを使用するデジタルオーディオ放送の場合に、一つの伝送チャンネルに多数のオーディオ放送チャンネルデータが乗せられる。例えば、衛星ＤＭＢの場合に、一つのＣＤＭチャンネルが２５６Ｋｂｐｓの伝送容量を有し、一つのオーディオ放送局のチャンネルデータレートは２４Ｋｂｐｓ〜６４Ｋｂｐｓ程度である。したがって、一つのＣＤＭチャンネルに４〜６個のオーディオ放送チャンネルデータが乗せられる。
【００２０】
２個のマルチプレクシングされたＣＤＭチャンネルを受信する場合は、例えば、１０個以上のオーディオ放送チャンネルを受信することに該当する。したがって、受信されたすべての放送チャンネルデータが、上記のように、マージ部１２０（図１を参照）で同一の伝送ストリームにマージされ、伝送ストリームデマルチプレクサ２１０に伝送される。
【００２１】
伝送ストリームデマルチプレクサ２１０は、同一の伝送ストリームに含まれた複数の放送チャンネルデータをデマルチプレクシングするために、放送チャンネル別に割り当てられているＰＩＤに関する情報を認識すべきである。このため、ＭＰＥＧデコーダ１３０は、放送チャンネルデータとＣＤＭ伝送チャンネルの対応情報を有するデータベース２４０を含む。このようなデータベース２４０の構造は、図３に示す。図３を参照すると、データベース２４０は、サービスＩＤ３１０と、ＰＭＴ(Ｐｒｏｇｒａｍ  Ｍａｐ  Ｔａｂｌｅ)  ＰＩＤ３２０と、ＡＵＤ(Ａｕｄｉｏ)ＰＩＤ３３０と、ＣＤＭチャンネル番号３４０と、放送チャンネル容量３５０に関する情報を有する。サービスＩＤ３１０は、ユーザーによって選択されるプログラム識別情報である。ＰＭＴ  ＰＩＤ３２０及びＡＵＤ  ＰＩＤ３３０は、ＥＰＧ情報を伝送するＥＰＧチャンネルを通じて伝送されるＰＳＩ(Ｐｒｏｇｒａｍ  Ｓｐｅｃｉｆｉｃ  Ｉｎｆｏｒｍａｔｉｏｎ)情報である。ＥＰＧエンジン（図示せず）がＰＳＩ情報を収集してこのデータベース２４０を構成することができる。
【００２２】
ＰＩＤ検出部２６０は、ユーザーインターフェース２５０を通じてユーザーによって選択された放送チャンネルによりデータベース２４０からＰＩＤを検出する。詳しく説明すると、ＰＩＤ検出部２６０は、ユーザーインターフェース２５０から一つの放送チャンネルの入力を受ける。そして、ＰＩＤ検出部２６０は、現在受信しているＣＤＭチャンネルと連動されるＰＩＤ値をデータベース２４０を通じて認識可能である。それによって、ＰＩＤ検出部２６０は、現在伝送ストリームに存在するすべての放送チャンネルの個数とその該当ＰＩＤ値がわかる。ＰＩＤ検出部２６０は、現在伝送ストリームに存在するＰＩＤ値及びその関連情報を選択的にテーブル化して伝送ストリームデマルチプレクサ２１０及びマルチバッファスイッチング部２３０に提供する。このようなＰＩＤ検出部２６０の動作は、図４を参照して詳細に説明する。
【００２３】
図４は、本発明の一実施形態によるＰＩＤ検出部の動作を示すフローチャートである。図４を参照すると、ＰＩＤ検出部２６０は、ユーザーインターフェース２５０から放送チャンネルに対応するＰＩＤを受信する（ステップ４１０）。ユーザーインターフェース２５０は、ユーザーが所定の放送チャンネルを選択すると、それに対応するＰＩＤをＰＩＤ検出部２６０に提供する。ＰＩＤ検出部２６０は、データベース２４０を参照して現在受信されるＣＤＭチャンネルを探索する(ステップ４２０)。ＰＩＤ検出部２６０は、ＣＤＭチャンネル情報の探索結果を用いて現在伝送ストリームのすべてのＰＩＤを獲得する(ステップ４３０)。そして、ＰＩＤ検出部２６０は、現在伝送ストリームのＰＩＤのうち、ユーザーによって選択された放送チャンネルのＰＩＤが存在するかどうかを判断する。もし、ユーザーによって選択された放送チャンネルのＰＩＤが現在伝送ストリームのＰＩＤのうちの一つであると、ＰＩＤ検出部２６０は、該当ＰＩＤ情報をマルチバッファスイッチング部２３０に提供し、該当放送チャンネルデータ用バッファをコーデック１４０にスイッチングする(ステップ４４０)。
【００２４】
もし、ユーザーによって選択された放送チャンネルのＰＩＤが現在伝送ストリームのＰＩＤに存在しないと、デジタル放送受信装置は新たなＣＤＭチャンネルを受信するようになる。それにより、ＰＩＤ検出部２６０は、新たなＣＤＭチャンネルに対応するＰＩＤ値及びその関連情報を選択的にテーブル化し、再び伝送ストリームデマルチプレクサ２１０及びマルチバッファスイッチング部２３０に提供する。
【００２５】
更に図２を参照すると、伝送ストリームデマルチプレクサ２１０は、ＰＩＤ検出部２６０から提供されるＰＩＤ値を参照して伝送ストリームを各放送チャンネルデータに分離し、この放送チャンネルデータをバッファ部２２０に提供する。このとき、伝送ストリームデマルチプレクサ２１０は、ＰＩＤ検出部２６０から提供される各放送チャンネル別ビットレート情報を参照し、各放送チャンネルデータをバッファ部２２０の複数のリングバッファ２２２，２２４，…，２２６にそのバッファ容量に合わせて割り当てられる。
【００２６】
具体的に、各リングバッファ２２２，２２４，…，２２６は、伝送ストリームデマルチプレクサ２１０から受信される放送チャンネルデータをそれぞれバッファリングする。このとき、複数の放送チャンネルデータのビットレートが多様であるため、複数のリングバッファは相互に異なる容量を有する。すなわち、リングバッファの容量が、多様なビットレートを有する放送チャンネルをバッファリングするのに適切に決定される。すなわち、伝送ストリームデマルチプレクサ２１０は、放送チャンネル別ビットレートにより、多様な容量を有する複数のリングバッファ２２２，２２４，…，２２６に各放送チャンネルデータを供給する。
【００２７】
例えば、１０個程度のオーディオ放送チャンネルデータが５１２Ｋｂｐｓ程度のデータレートを持ち、各リングバッファが入力される放送チャンネルデータを２秒程度バッファリングすると、全体バッファ部２２０のサイズは１０２８Ｋｂｉｔ（１２８Ｋｂｙｔｅ）程度となる。この程度のメモリサイズは、デジタル放送受信装置に大きな負担になることではない。
【００２８】
そして、各リングバッファ２２２，２２４，…，２２６は、バッファリングしたチャンネルデータをマルチバッファスイッチング装置２３０に出力する。ユーザーが放送チャンネルを選択すると、マルチバッファスイッチング装置２３０は、ユーザーインターフェース２５０からユーザーによって選択された放送チャンネルに対応するＰＩＤ情報を受信する。マルチバッファスイッチング装置２３０は、ユーザーインターフェース２５０から提供されたＰＩＤ情報により、バッファ部２２０の複数のリングバッファ２２２，２２４，…，２２６のうちの一つの出力をコーデック２４０にスイッチングする。
【００２９】
このように、本発明は、マルチリングバッファに多数の放送ストリームを同時に貯蔵し、放送チャンネル選択命令を入力するときに、予め割り当てられた放送ストリームとバッファ情報を用いて該当するオーディオリングバッファをすぐにコーデックにスイッチングすることで、高速放送チャンネル選択を実行することができる。
【００３０】
図５は、本発明の一実施形態によるデジタル放送受信装置でオーディオ放送チャンネルを選択するときの制御手順を示すフローチャートである。この実施形態では、オーディオ放送チャンネルを受信した場合について説明する。しかしながら、ＡＶ放送チャンネルを受信した場合にも、本発明が適用可能なことは自明である。
【００３１】
図５を参照すると、まず、デジタル放送受信装置で、ＭＰＥＧデコーダ１３０は、マージ部１２０からマルチチャンネルオーディオストリームが受信されるか否かを判断する(ステップ５１０)。ＭＰＥＧデコーダ１３０は、マルチチャンネルオーディオストリームを受信すると、ステップ５２０に進んで受信したオーディオストリームを伝送ストリームデマルチプレクサ２１０に入力する。伝送ストリームデマルチプレクサ２１０は、マルチチャンネルオーディオストリームを複数の放送チャンネルデータに分離する。ＭＰＥＧデコーダ１３０は、分離された複数の放送チャンネルデータをバッファ部２２０に提供する(ステップ５３０)。バッファ部２２０の各リングバッファ２２２，２２４，…，２２６は、伝送ストリームデマルチプレクサ２１０から受信される放送チャンネルデータをバッファリングする。
【００３２】
そして、ＭＰＥＧデコーダ１３０は、ユーザーが放送チャンネルを選択するか否かを判断する(ステップ５４０)。ユーザーが放送チャンネルを選択すると、ＭＰＥＧデコーダ１３０は、ユーザーインターフェース２５０を通じてユーザーによって選択された放送チャンネルに対応するＰＩＤ情報を受信する。したがって、ＭＰＥＧデコーダ１３０は、マルチバッファスイッチング装置２３０がユーザーインターフェース２５０から受信されたＰＩＤ情報により、バッファ２２０で複数のリングバッファ２２２，２２４，…，２２６の出力のうちの一つをコーデック２４０にスイッチングするように制御する(ステップ５５０)。次に、デジタル放送受信装置は、デジタル放送受信が終了するか否かを判断する(ステップ５６０)。デジタル放送受信は、ユーザーによって終了される。また、デジタル放送受信装置が、デジタル放送をこれ以上受信できない地域に移動し、或いはバッテリーが放電される理由によってもデジタル放送の受信が終了される。デジタル放送受信装置は、デジタル放送受信が終了しないと、ステップ５４０に戻る。
【００３３】
上述した本発明の説明では、具体的な実施形態について説明したが、本発明を外れない限り、多様な変形が実施可能である。したがって、本発明の範囲は、説明した実施形態に限定されるものではなく、特許請求の範囲とこれと均等なものによって定められるべきである。
【図面の簡単な説明】
【００３４】
【図１】本発明の望ましい実施形態によるデジタル放送受信装置のブロック構成図である。
【図２】本発明の一実施形態によるＭＰＥＧデコーダのブロック構成図である。
【図３】本発明の一実施形態によるデータベースの構造を示す図である。
【図４】本発明の一実施形態によるＰＩＤ検出部の動作を示すフローチャートである。
【図５】本発明の一実施形態によるデジタル放送受信装置において、オーディオ放送チャンネルの選択時の制御手順を示すフローチャートである。
【符号の説明】
【００３５】
１００  デジタル放送受信装置
２１０  伝送ストリームデマルチプレクサ
２２０  バッファ部
２２２  リングバッファ
２２４  リングバッファ
２２６  リングバッファ
２３０  マルチバッファスイッチング装置
２４０  データベース
２５０  ユーザーインターフェース
２６０  ＰＩＤ検出部
【図１】
2006081185.tif 000003
【図２】
2006081185.tif 000004
【図３】
2006081185.tif 000005
【図４】
2006081185.tif 000006
【図５】
2006081185.tif 000007